(57)【特許請求の範囲】
【請求項１】
光源部と、該光源部を覆うバルーンと、該バルーンの内部に空気を送り込む送風部とを備えたバルーン式照明装置において、
上記光源部は、
正面側に複数のＬＥＤ素子が配列され、互いに向き合うように筒状に立設される発光板と、
上記発光板の背面側に設けられ、上記ＬＥＤ素子の熱を放熱する放熱フィンと、
上記複数の発光板の一端側を支持すると共に、上記送風部に近い側の空間を区切る一端側仕切板と、
上記複数の発光板の他端側に設けられ、上記送風部の反対側を仕切る他端側仕切板とを備え、
上記一端側仕切板及び上記他端側仕切板には、上記放熱フィンへ上記送風部からの空気を誘導する複数の誘導窓と、該複数の誘導窓の間に設けられ、上記送風部からの空気を遮断する遮断部とがそれぞれ設けられている
ことを特徴とするバルーン式照明装置。
【請求項２】
請求項１に記載のバルーン式照明装置において、
上記各発光板は、上記一端側仕切板に揺動可能に支持され、
上記光源部は、
先端側で各発光板の背面側を支持し、基端側がスライダに揺動可能に連結された複数のアーム部と、
上記スライダをスライド移動可能に支持すると共に一端側が上記一端側仕切板の遮断部に連結され、他端側が上記他端側仕切板の遮断部に連結されたシャフト部と、
上記シャフト部に設けられて上記スライダを付勢して上記複数の発光板を閉じ状態又は開き状態へ揺動させる付勢部材とを備えている
ことを特徴とするバルーン式照明装置。
【請求項３】
請求項２に記載のバルーン式照明装置において、
上記一端側仕切板の誘導窓は、上記複数の発光板の閉じ状態において、上記シャフト部の長手方向から見たときに、少なくとも上記放熱フィンの大部分が露出するように形成されている
ことを特徴とするバルーン式照明装置。
【請求項４】
請求項２又は３に記載のバルーン式照明装置において、
上記スライダは、上記シャフト部の長手方向から見たときに、上記一端側仕切板の遮断部と重なる位置に設けられている
ことを特徴とするバルーン式照明装置。
【請求項５】
請求項２から４のいずれか１つに記載のバルーン式照明装置において、
上記他端側仕切板の誘導窓の面積は、上記一端側仕切板の誘導窓の面積よりも小さい
ことを特徴とするバルーン式照明装置。
【請求項６】
請求項５に記載のバルーン式照明装置において、
上記他端側仕切板の誘導窓の面積は、上記一端側仕切板の誘導窓の６０％以下の面積である
ことを特徴とするバルーン式照明装置。
【請求項７】
請求項２から６いずれか１つに記載のバルーン式照明装置において、
上記放熱フィンの上記発光板と反対側に上記一端側仕切板の誘導窓からの空気を放熱フィン側へ誘導するガイド部を設ける
ことを特徴とするバルーン式照明装置。
【請求項８】
請求項７に記載のバルーン式照明装置において、
上記ガイド部としてのバッフルプレートは、上記アーム部に配置されている
ことを特徴とするバルーン式照明装置。
【請求項９】
請求項８に記載のバルーン式照明装置において、
上記発光板の開き状態において、平面視で少なくとも、上記バッフルプレートは、一端側仕切板の誘導窓全体を覆うように、上記放熱フィンの方へ傾斜している
ことを特徴とするバルーン式照明装置。
【請求項１０】
請求項９に記載のバルーン式照明装置において、
上記発光板の開き状態において、平面視で少なくとも、上記バッフルプレートは、他端側仕切板の誘導窓全体を覆う
ことを特徴とするバルーン式照明装置。
【発明の詳細な説明】
【技術分野】
【０００１】
本発明は、光源部と、この光源部を覆うバルーンと、このバルーンの内部に空気を送り込む送風部とを備えたバルーン式照明装置に関するものである。
【背景技術】
【０００２】
従来より、この種のバルーン式照明装置において、光源部は、筒状放熱器と、この筒状放熱器の表面に配置したＬＥＤを備え、筒状放熱器は、一面側に断面が櫛歯状の放熱羽を有し他面側にＬＥＤが配置される平面を有する放熱板を、放熱羽が内側になるように複数枚組み合わせて筒状に構成し、送風機を送風機による気流が筒状放熱器の内側を通り且つＬＥＤ用電源回路部を冷却するように配置したものが知られている（例えば、特許文献１参照）。
【先行技術文献】
【特許文献】
【０００３】
【特許文献１】特開２０１３−２０９５３号公報
【発明の概要】
【発明が解決しようとする課題】
【０００４】
しかしながら、光源部の光量を高めようとした場合、ＬＥＤの温度が上がり、発光効率が低下し、暗くなってしまう。その対応として、放熱フィンを大きくしたり送風機の能力を上げたものにすると、照明装置も大きく重くなるだけでなく、コストも大幅に上がってしまう。
【０００５】
また、ＬＥＤが取り付けられる発光板の角度を変えるように構成すれば、発光板を開いたときと閉じたときとで、送風機からの冷却風の流れが大幅に変わる場合がある。そうすると、発光板を開いたときに放熱フィンが充分に冷却できないおそれがある。
【０００６】
本発明は、かかる点に鑑みてなされたものであり、その目的とするところは、簡単な構造でＬＥＤを効率的に冷却できるようにすることにある。
【課題を解決するための手段】
【０００７】
上記の目的を達成するために、この発明では、放熱フィンを効率的に冷却できるように、仕切板に誘導窓及び遮断部を配置した。
【０００８】
具体的には、第１の発明では、光源部と、該光源部を覆うバルーンと、該バルーンの内部に空気を送り込む送風部とを備えたバルーン式照明装置を前提とし、
上記光源部は、
正面側に複数のＬＥＤ素子が配列され、互いに向き合うように筒状に立設される発光板と、
上記発光板の背面側に設けられ、上記ＬＥＤ素子の熱を放熱する放熱フィンと、
上記複数の発光板の一端側を支持すると共に、上記送風部に近い側の空間を区切る一端側仕切板と、
上記複数の発光板の他端側に設けられ、上記送風部の反対側を仕切る他端側仕切板とを備え、
上記一端側仕切板及び上記他端側仕切板には、上記放熱フィンへ上記送風部からの空気を誘導する複数の誘導窓と、該複数の誘導窓の間に設けられ、上記送風部からの空気を遮断する遮断部とがそれぞれ設けられている
上記の構成によると、送風部からの空気は、一端側仕切板の遮断部を避け、その誘導窓から流れてくる。この誘導窓を通った空気は、他端側仕切板の遮断部を避け、その誘導窓に向かって誘導される。このときに、空気が放熱フィンに誘導されるので、放熱フィンが効率的に冷却される。
【０００９】
第２の発明では、第１の発明において、
上記各発光板は、上記一端側仕切板に揺動可能に支持され、
上記光源部は、
先端側で各発光板の背面側を支持し、基端側がスライダに揺動可能に連結された複数のアーム部と、
上記スライダをスライド移動可能に支持すると共に一端側が上記一端側仕切板の遮断部に連結され、他端側が上記他端側仕切板の遮断部に連結されたシャフト部と、
上記シャフト部に設けられて上記スライダを付勢して上記複数の発光板を閉じ状態又は開き状態へ揺動させる付勢部材とが設けられている。
【００１０】
上記の構成によると、スライダをシャフト部に沿って移動させると、このスライダに連結された複数のアーム部が対応する発光板を揺動させる。このため、スライダにより複数の発光板を連動させることができるので、従来のように発光板を１枚ずつ揺動させる必要がない。また、付勢部材がスライダを付勢して複数の発光板を同時に閉じ状態又は開き状態へ揺動させることができる。このように開閉可能な発光板を有する場合でも、一端側仕切板及び他端側仕切板に誘導窓及び遮断部を適切に配置することで、閉じ状態及び開き状態のいずれの場合でも、効率よく放熱フィンを冷却するようにすることが可能となる。
【００１１】
第３の発明では、第２の発明において、
上記一端側仕切板の誘導窓は、上記複数の発光板の閉じ状態において、上記シャフト部の長手方向から見たときに、少なくとも上記放熱フィンの大部分が露出するように形成されている。
【００１２】
上記の構成によると、一端側仕切板の誘導窓から他端側仕切板の誘導窓に向かって流れる空気により放熱フィンが効率的に冷却される。
【００１３】
第４の発明では、第２又は第３の発明において、
上記スライダは、上記シャフト部の長手方向から見たときに、上記一端側仕切板の遮断部と重なる位置に設けられている。
【００１４】
上記の構成によると、送風部からの空気が一端側仕切板の誘導窓から他端側仕切板の誘導窓へ流れる際に、その流れをスライダが阻害しない。
【００１５】
第５の発明では、第２から第４のいずれか１つの発明において、
上記他端側仕切板の誘導窓の面積は、上記一端側仕切板の誘導窓の面積よりも小さい構成とする。
【００１６】
上記の構成によると、特に発光板が開き状態にあるときに、一端側仕切板の誘導窓から流れてきた空気が他端側仕切板の誘導窓よりも開口面積の広い発光板と他端側仕切板との間の隙間を流れやすくなるので、開き状態でも閉じた状態と同等の放熱フィンの冷却効果が得られ、放熱フィンが効率的に冷却される。
【００１７】
第６の発明では、第５の発明において、
上記他端側仕切板の誘導窓の面積は、上記一端側仕切板の誘導窓の６０％以下の面積である。
【００１８】
上記の構成によると、他端側仕切板の誘導窓から放出される空気の割合を減らすことにより、開き状態での空気の流れをできるだけ放熱フィン側へ向かわせることができる。
一方、６０％よりも大きい面積とすると、他端側仕切板の誘導窓から流れ出る空気の量が増えてしまって、開き状態の発光板の背面側の放熱フィンの冷却効果が低減される。
【００１９】
第７の発明では、第２〜第６のいずれか１つの発明において、
上記放熱フィンの上記発光板と反対側に上記一端側仕切板の誘導窓からの空気を放熱フィン側へ誘導するガイド部を設ける。
【００２０】
すなわち、発光板が開いたときには、誘導窓の他に発光板の他端と他端側仕切板との間の隙間から空気が流れ出やすくなるが、上記の構成によると、ガイド部を設けることにより一端側仕切板の誘導窓からの空気がガイド部で放熱フィン側に誘導可能となる。このガイド部は、ダクト構造でもよいし、プレート構造でもよい。このため、発光板の開き状態でも、送風部からの空気によって放熱フィンを効果的に冷やすことができる。このため、ガイド部を設けない場合に比べて送風部の性能を向上させなくても、放熱フィンが効率的に冷却される。
【００２１】
第８の発明では、第７の発明において、
上記ガイド部としての板状のバッフルプレートは、上記アーム部に配置されている。
【００２２】
この構成によると、バッフルプレートは、板状であるので、ダクト構造に比べて組立性がよく、軽量且つ低コストで場所をとらないので、他の部品の取付、配線等が容易である。また、ダクト形状に比べて冷却風への抵抗が小さく、冷却性能が高くなると共に、送風部による吸気量の低下も防止でき、膨らませたバルーンが風でつぶれるなどの問題が発生しにくい。また、アーム部の動きに合わせてバッフルプレートの角度を変えることができるので、発光板の閉じ状態と開き状態で、バッフルプレートの角度を容易に変更することができる。
【００２３】
第９の発明では、第８の発明において、
上記発光板の開き状態において、平面視で少なくとも、上記バッフルプレートは、一端側仕切板の誘導窓全体を覆うように、上記放熱フィンの方へ傾斜している。
【００２４】
すなわち、一端側仕切板の誘導窓全体をバッフルプレートが覆っているので、冷却風が他端側仕切板の誘導窓に流れる量が少なくなり、多くの冷却風がバッフルプレートに適切に誘導される。また、上部に行くにつれて冷却風自体の温度が上がっていくが、上記の構成によると、上部に行くにつれて冷却風通路を絞ることで、流速が上がり、放熱フィンが効率的に冷やされる。
【００２５】
第１０の発明では、第９に記載の発明において、
上記発光板の開き状態において、平面視で少なくとも、上記バッフルプレートは、他端側仕切板の誘導窓全体を覆う構成とする。
【００２６】
上記の構成によると、冷却風がより効率的にバッフルプレートに誘導され、放熱フィンが効果的に冷やされる。
【発明の効果】
【００２７】
以上説明したように、本発明によれば、一端側仕切板及び他端側仕切板に放熱フィンへ送風部からの空気を誘導する複数の誘導窓を設け、これら複数の誘導窓の間に送風部からの空気を遮断する遮断部を設けたことにより、簡単な構造で発光板を効率的に冷却できる。
【図面の簡単な説明】
【００２８】
【図１】１枚の発光板を取り外して内部が見えるようにした拡大斜視図である。
【図２】本発明の実施形態に係るバルーン式照明装置を示す正面図である。
【図３】閉じ状態の光源部及びその周辺を拡大して示す斜視図である。
【図４】開き状態の光源部及びその周辺を拡大して示す斜視図である。
【図５】閉じ状態のバッフルプレート及びその周辺を拡大して示す断面図である。
【図６】開き状態のバッフルプレート及びその周辺を拡大して示す断面図である。
【図７】バッフルプレートがないときの図６相当図である。
【発明を実施するための形態】
【００２９】
以下、本発明の実施形態を図面に基づいて説明する。
【００３０】
図２は本発明の実施形態のバルーン式照明装置１を示し、このバルーン式照明装置１は、光源部２と、この光源部２を覆うバルーン３（２点鎖線で示す）と、このバルーン３の内部に空気を送り込む送風部４とを備えている。
【００３１】
光源部２は、伸縮可能なマスト５の先端に支持され、マスト５の基端が三脚スタンド６に支持されている。この三脚スタンド６は、四脚スタンドでもよいし、台車形状を有していてもよい。三脚スタンド６には、例えば交流を直流に変換するコンバータユニット（電源ユニット）７が設けられ、図示しない電源部から電力が供給されるようになっている。電源部は、交流電源でもよいし、発電機や蓄電装置でもよい。
【００３２】
送風部４は、詳しくは図示しないが、例えば光源部２の下端の基台部８に内蔵された電動ファンよりなる。なお、マスト５の先端から基台部８の部分を傾斜させ、バルーン３が傾くようにしてもよい。
【００３３】
図３及び図４にも示すように、光源部２の外周が、例えば基台部８に円筒形状に立設された鳥かご状のガード９で覆われている。バルーン３は、半透明の布状のもので、図示しないファスナーを開いてガード９の外側から光源部２の全体を包み込み、基台部８の外周に固定するようになっている。例えば、基台部８の外周にマジックテープ（登録商標）を貼り付けてバルーン３から空気が漏れないように締め付けながら固定できるようにすればよい。固定した状態で送風部４から空気を送り込むことにより、バルーン３が膨らんだ状態で保たれ、光源部２の光を包み込むようになっている。例えば、バルーン３の上半分を反射タイプとしてもよい。図示しないが、コンバータユニット７に電源スイッチが設けられている。
【００３４】
そして、図１に示すように、本実施形態に係る光源部２は、外面に複数のＬＥＤ素子が配列されて支持側端部が揺動自在に支持される複数の上段発光板１０を備えている。本実施形態では、例えば、４枚の下段発光板１９及び４枚の上段発光板１０が設けられている。各上段発光板１０は、金属製フレームを組み立てた枠状の光源部本体１１に嵌め込まれている。光源部本体１１は、底板１１ａに支柱を兼用した筒状に配置した下段発光板１９が立設されている。上段部は、下段部に対し、締結部材１１ｂ等により、例えば八角形状の中間板１１ｃで連結されている。中間板１１ｃは、複数の上段発光板１０の下端側を支持すると共に、送風部４に近い側（下側）の空間を区切る一端側仕切板としての役割を果たしている。中間板１１ｃには、４本の上側支柱１１ｄをそれらをつなぐように左右に延びる梁１１ｅが連結された枠状部材を有している。中間板１１ｃに形成した４つの梁１１ｅにそれぞれ上段発光板１０が下端のヒンジ部１３を中心に揺動可能に支持されている。天板１１ｆに設けた梁１１ｅにより、上段発光板１０がそれ以上内側へ倒れないようになっている。天板１１ｆは、複数の上段発光板１０の上端側に設けられ、送風部４の反対側（上側）を仕切る他端側仕切板としての役割を果たしている。
【００３５】
ＬＥＤ発光ユニット１２は、使用中に大量の熱を発生するので、円筒状に配置した上段発光板１０及び下段発光板１９におけるＬＥＤ発光ユニット１２の背面側には、例えばアルミニウム合金等よりなる複数の板状フィンが設けられた放熱フィン１４が取り付けられている。この放熱フィン１４には、送風部４からの空気が当てられることで、ＬＥＤ発光ユニット１２の温度を下げられるようになっている。
【００３６】
中間板１１ｃには、放熱フィン１４へ送風部４からの空気を誘導する４つの下側誘導窓３１が開口されている。下側誘導窓３１は、上段発光板１０の枚数に合わせて４つ設けられているが、その個数は特に限定されない。これら４つの下側誘導窓３１の間に送風部４からの空気を遮断する下側遮断部３３が形成されている。同様に天板１１ｆには、放熱フィン１４へ送風部４からの空気を誘導する４つの上側誘導窓３２と、これらの上側誘導窓３２の間に送風部４からの空気を遮断する上側遮断部３４が形成されている。天板１１ｆの上側誘導窓３２の面積Ａは、中間板１１ｃの下側誘導窓３１の面積Ａ’よりも小さく（Ａ＜Ａ’）、好ましくは、天板１１ｆの上側誘導窓３２の面積は、中間板１１ｃの下側誘導窓３１の６０％以下の面積となっている。また、下側誘導窓３１は、放熱フィン１４断面とほぼ同じ大きさのものが望ましい。
なお、図示しないが、底板１１ａにも下側誘導窓３１と同様の誘導窓が開口され、送風部４からの空気が、この誘導窓から下側誘導窓３１に向かって流れるときに、下段発光板１９の背面側の放熱フィン１４を冷却するようになっている。底板１１ａに開口する誘導窓の大きさは、下段発光板１９で囲まれた部分の面積より小さければよい。
【００３７】
また、４枚の下段発光板１９と、４枚の上段発光板１０とは、例えば９０°ずつずらして配置されている。これにより、できるだけむらなく光を照らせるようになっている。下段発光板１９及び上段発光板１０には、それぞれ２つずつのＬＥＤ素子としてのＬＥＤ発光ユニット１２が設けられている。ＬＥＤ発光ユニット１２の個数はこれに限定されない。なお、上段発光板１０及び下段発光板１９の枚数は、いずれも４枚ではなく、３枚や、５枚以上でもよい。１つのＬＥＤ発光ユニット１２には、多数のＬＥＤが集積されたチップ型ＬＥＤが設けられている。図示しないが、ＬＥＤ発光ユニット１２から延びるハーネスは、基台部８に延びている。
【００３８】
上段発光板１０には、ＬＥＤ発光ユニット１２に対応させて上下に間隔を空けて設けられた一対の放熱フィン１４間の隙間の平坦な内面にアーム部１５の先端１５ａが回動可能に連結されている。アーム部１５は、上段発光板１０の枚数に合わせて４本設けられている。天板１１ｆと中間板１１ｃとの間に１本のシャフト部１６が設けられている。シャフト部１６は、一端側が中間板１１ｃの下側遮断部３３に連結され、他端側が天板１１ｆの上側遮断部３４に連結されている。そして、シャフト部１６の外周には、上下にスライド移動可能なスライダ１７が挿通されている。各アーム部１５の基端１５ｂは、スライダ１７に回動可能に連結されている。スライダ１７の上側には、天板１１ｆとの間に付勢部材としての圧縮コイルバネ１８が挿入されている。そして、アーム部１５の基端１５ｂがスライダ１７に揺動可能に連結されている。アーム部１５は、中間部に折れ曲がって放熱フィン１４を避けるように回避部１５ｃが形成されている。スライダ１７は、シャフト部１６の長手方向（上下方向）から見たときに、中間板１１ｃ及び天板１１ｆの下側遮断部３３及び上側遮断部３４と重なる位置に設けられている。言い換えれば、上下いずれの方向から見たときでも、下側誘導窓３１及び上側誘導窓３２からスライダ１７は、見えない位置にある。そして、図３に示すように、上段発光板１０に設けたツマミ２０を引っ張ることで、スライダ１７を上下操作できるようになっている。
【００３９】
そして、スライダ１７をシャフト部１６に沿ってスライドさせることで、アーム部１５により４枚の上段発光板１０が揺動され、図３に示すように起立して筒状となる閉じ状態と、図４に示すように外方へ倒れる開き状態とに切換可能に構成されている。スライダ１７は、圧縮コイルバネ１８で直接付勢してもよいし、別の部材を介して間接的に付勢してもよい。圧縮コイルバネ１８がスライダ１７を下方へ付勢することで、結果として４枚の上段発光板１０を閉じ状態へ付勢している。
【００４０】
本実施形態では、下側誘導窓３１及び上側誘導窓３２は、シャフト部１６の長手方向から見たときに、少なくとも放熱フィン１４の大部分が露出するように形成されている。そして、放熱フィン１４の上段発光板１０と反対側（シャフト部１６側）に中間板１１ｃの下側誘導窓３１からの空気を放熱フィン１４側へ誘導するガイド部を設ける。このガイド部は、放熱フィンを覆うダクト形状でもよいし、プレート形状のものでもよい。
【００４１】
本実施形態では、ガイド部としてのバッフルプレート３５が設けられており、このバッフルプレート３５が上段発光板１０に連動して揺動するように構成されている。すなわち、バッフルプレート３５は、アーム部１５の回避部１５ｃに取り付けられている。例えば、図１に示すように、バッフルプレート３５に設けたスリット３５ａにアーム部１５の先端側が挿通された状態で、バッフルプレート３５がアーム部１５の上段発光板１０側に固定されている。
【００４２】
図６に示すように、４枚の上段発光板１０の開き状態において、上方から見たときに、バッフルプレート３５は、中間板１１ｃの下側誘導窓３１全体を覆い、また、バッフルプレート３５は、天板１１ｆの上側誘導窓３２全体を覆うように、バッフルプレート３５は、下方から見たときに、上方に向かって放熱フィン１４の方へ傾斜している。
【００４３】
次に、本実施形態に係るバルーン式照明装置１の冷却風の流れ方について説明する。
【００４４】
まず、図２、図３及び図５に示すように４枚の上段発光板１０が垂直に立った閉じ状態では、ＬＥＤ発光ユニット１２の光は、水平方向に照射される。ＬＥＤは、蛍光灯に比べて指向性が高いので、比較的真下が暗くなる傾向にある。この状態では、圧縮コイルバネ１８がスライダ１７を下方へ付勢することで閉じ状態として安定している。
【００４５】
バルーン式照明装置１の作動時には、送風部４から図２に示すように空気を送風し、放熱フィン１４を通過して暖められた空気が吹き出されるようになっている。この際、図５に矢印で示すように、下側誘導窓３１から吹き出す空気は、上側誘導窓３２に向かって流れる。このとき、上側誘導窓３２の面積Ａは、下側誘導窓３１面積Ａ’よりも小さい（Ａ＜Ａ’）ので、送風部４からの空気は、スライダ１７を避けた後、上側遮断部３４によって適度に阻止されて上側誘導窓３２の方から外へ吹き出す。この下側誘導窓３１から上側誘導窓３２に向かって流れる空気により放熱フィン１４が効率的に冷却される。なお、閉じ状態でのバッフルプレート３５は、垂直に近いので、空気の流れを阻害せず、上方に向けて放熱フィン１４側へ傾斜しているので、むしろ上側の放熱フィン１４を効果的に冷却する作用を補助している。
【００４６】
次いで、真下側も照らしたい場合には、上段発光板１０を外側へ傾斜させて開き状態とする。そのために、電源スイッチを切って送風部４等の停止状態で、バルーン３のチャックを開いて手を差し込んでツマミ２０を引っ張って上段発光板１０を引き出し、圧縮コイルバネ１８を圧縮させながらスライダ１７を上昇させる。すると、スライダ１７の動きに連動してアーム部１５の先端１５ａに連結された上段発光板１０の内面が押されて外側へ倒れる。このアーム部１５の動きに合わせてバッフルプレート３５も傾けられ、図６のようになる。このように、バッフルプレート３５をアーム部１５に配置したので、アーム部１５の動きに合わせてバッフルプレート３５の角度を変えることができる。このため、上段発光板１０の閉じ状態と開き状態とで、バッフルプレート３５の角度を適切に変更することができる。
【００４７】
冷却風は、上部に行くにつれて冷却風自体の温度が上がっていく。しかし、図６に示すように、バッフルプレート３５は、上方に向かって放熱フィン１４の方へ適切な角度で傾いていることから、上部に行くにつれて冷却風通路が絞られ、流速が上がって放熱フィン１４が効率的に冷やされる。
【００４８】
また、スライダ１７は、閉じ状態及び開き状態のいずれに場合でも、シャフト部１６の長手方向から見たときに、中間板１１ｃの下側遮断部３３と重なる位置に設けられているので、下側誘導窓３１からの流れを阻害しない。
【００４９】
図７にバッフルプレート３５を設けなかった場合の光源部２’を例示するように、上段発光板１０が開き状態にあるときに、上段発光板１０と天板１１ｆとの間の隙間Ｂからだけでなく、下側誘導窓３１及び上側誘導窓３２からも空気が流れ出るので、放熱フィン１４が効率的に冷やされない。
【００５０】
しかし、本実施形態では、天板１１ｆの上側誘導窓３２の面積Ａを中間板１１ｃの下側誘導窓３１の面積Ａ’よりも小さくしたので、中間板１１ｃの下側誘導窓３１から流れてきた空気が天板１１ｆの上側誘導窓３２に流れにくくなる。このため、開いた上段発光板１０の裏側にある放熱フィン１４の方へも流れやすくなり、開き状態でも、閉じた状態と同等の冷却効果が得られるので、放熱フィン１４が効率的に冷却される。特に天板１１ｆの上側誘導窓３２の面積が中間板１１ｃの下側誘導窓３１の６０％以下の面積であると、開き状態での空気の流れをできるだけ放熱フィン１４側へ向かわせることができる。なお、部品配置、送風部４の能力等にも左右されるが、概ね６０％よりも大きい面積とすると、天板１１ｆの上側誘導窓３２から流れ出る空気の量が増えてしまって、開き状態の上段発光板１０の背面側の放熱フィン１４が充分に冷やされないことがわかった。
【００５１】
このように、開閉可能な上段発光板１０を有する場合でも、下側誘導窓３１及び上側誘導窓３２を適切に配置することで、閉じ状態及び開き状態のいずれの場合でも、効率よく放熱フィン１４を冷却するようにすることが可能となる。
【００５２】
一方で、本実施形態では、上側誘導窓３２を下側誘導窓３１よりも小さくするだけでなくアーム部１５にガイド部としてのバッフルプレート３５を設けたので、バッフルプレート３５を上段発光板１０の開閉に合わせて動かすことができ、図６に示す開き状態では、矢印で示すように、中間板１１ｃの下側誘導窓３１からの空気がバッフルプレート３５で放熱フィン１４側に適切に誘導される。このため、上段発光板１０の開き状態でも、送風部４からの空気によって放熱フィン１４を極めて効果的に冷やすことができる。
【００５３】
また、バッフルプレート３５は、板状であるので、ダクト構造に比べて組立性がよく、軽量且つ低コストで、場所をとらないので、他の部品の取付、配線等が容易である。また、ダクト形状に比べて冷却風への抵抗が小さく、冷却性能が高くなると共に、送風部４による吸気量の低下も防止でき、膨らませたバルーン３が風でつぶれるなどの問題が発生しにくい。このため、バッフルプレート３５を設けない場合に比べて送風部４の性能を向上させなくても、放熱フィン１４が効率的に冷却される。
【００５４】
なお、下段発光板１９についても、送風部４からの冷却風は、下側遮断部３３に阻止されて下側誘導窓３１から放出されることで、放熱フィン１４に誘導され、放熱フィン１４が冷却されることで、充分に冷やされる。
【００５５】
したがって、本実施形態に係るバルーン式照明装置１によると、簡単な構造で発光板を効率的に冷却できる。
【００５６】
（その他の実施形態）
本発明は、上記実施形態について、以下のような構成としてもよい。
【００５７】
すなわち、上記実施形態では、圧縮コイルバネ１８によってスライダ１７を下方へ付勢して４枚の上段発光板１０を閉じ状態へ揺動させるようにしているが、開き状態へ付勢するようにしてもよい。例えば、スライダ１７を上方へ付勢するようにするとよい。その場合には、圧縮コイルバネ１８ではなく、引張コイルバネとしてもよい。また、引張コイルバネでスライダ１７を押し下げたり、圧縮コイルバネでスライダ１７を押し上げるようにしたりしてもよい。
【００５８】
上記実施形態では、４枚の下段発光板１９は光源部本体１１に固定されているが、下段発光板１９も揺動可能としてもよい。その場合、上段発光板１０を固定してもよいし、上段及び下段のいずれも揺動可能としてもよい。下段発光板１９を揺動可能とする場合には、下段にもスライダ１７、アーム部１５、バッフルプレート３５等を設けるとよい。上段及び下段のいずれも揺動可能とした場合、上下段のスライダ１７を連結することにより、上下段の発光板１０，１９を同時に揺動するようにしてもよい。
【００５９】
上記実施形態では、アーム部１５にガイド部としてのバッフルプレート３５を設けた構造としているが、ガイド部は、上段発光板１０の背面側に放熱フィンを覆うダクト構造としてもよい。
【００６０】
なお、以上の実施形態は、本質的に好ましい例示であって、本発明、その適用物や用途の範囲を制限することを意図するものではない。
【産業上の利用可能性】
【００６１】
以上説明したように、本発明は、送風部から空気を送り込んで光源部を包むバルーンを膨らませるバルーン式照明装置について有用である。
【符号の説明】
【００６２】
１      バルーン式照明装置
２      光源部
３      バルーン
４      送風部
５      マスト
６      三脚スタンド
７      コンバータユニット（電源ユニット）
８      基台部
９      ガード
１０      上段発光板
１１      光源部本体
１１ａ    底板
１１ｂ    締結部材
１１ｃ    中間板（一端側仕切板）
１１ｄ    上側支柱（支柱）
１１ｅ    梁
１１ｆ    天板（他端側仕切板）
１２      ＬＥＤ発光ユニット（ＬＥＤ素子）
１３      ヒンジ部
１４      放熱フィン
１５      アーム部
１５ａ    先端
１５ｂ    基端
１５ｃ    回避部
１６      シャフト部
１７      スライダ
１８      圧縮コイルバネ
１９      下段発光板
２０      ツマミ
３１      下側誘導窓
３２      上側誘導窓
３３      下側遮断部
３４      上側遮断部
３５      バッフルプレート
３５ａ    スリット
【図１】
0006363489.tif 000002
【図２】
0006363489.tif 000003
【図３】
0006363489.tif 000004
【図４】
0006363489.tif 000005
【図５】
0006363489.tif 000006
【図６】
0006363489.tif 000007
【図７】
0006363489.tif 000008